(57)【特許請求の範囲】
【請求項１】
３月１日から次の年の２月２８日までの全ての日を連続的かつ自動的に示すように時計ムーブメントによって作動させられる日付インジケータを形成する方法において、
一の位の番号が、十個の番号又は数十個の番号を備えたインジケータランナー上に配置されており、十の位の番号が、四個又は四の倍数個の番号を備えたインジケータランナー上に配置されており、２４時間毎に一ステップだけ段階的に一の位インジケータランナーを選択的に進めるように、及び数十から前記数十より十だけ多い数十へ進めるために前記一の位インジケータランナーの十ステップ毎に一ステップだけ十の位インジケータランナーを進めるように、及び３１日の基本サイクルにおいて「３１」から「０１」へ進ませるように一ステップだけ前記十の位インジケータのみを進ませるために、二つのドライブラインが形成され、前記二つのドライブラインの一方は、前記時計ムーブメントと前記十の位及び一の位インジケータランナーの間の日ドライブラインであり、
前記二つのドライブラインの他方は、前記時計ムーブメントと前記十の位インジケータランナーを直接的に接続している年ドライブラインであり、３１日よりも少ない日からなる月の終わりにおいて「３０」から「０１」へ進ませるように、前記一の位インジケータランナーが前記日ドライブラインによって移動させられると同時に、一ステップだけ前記十の位インジケータランナーを移動させるように前記年ドライブラインがプログラムされている、３月１日から次の年の２月２８日までの全ての日を連続的かつ自動的に示すように時計ムーブメントによって作動させられる日付インジケータを形成する方法。
【請求項２】
前記一の位インジケータランナーは、十個又は数十個の歯を備えた一の位インジケータランナーに留められ、前記十の位インジケータランナーは、四個又は四の倍数個の歯を備えた十の位ランナーに留められ、前記一の位ランナーの各十ステップ毎に一ステップだけ前記十の位ランナーを移動させるように、トランスミッションが前記一の位ランナーと前記十の位ランナーを接続し、前記一の位ランナーを駆動するための駆動ランナーは、時計のインジケータのギヤトレインに接続され、「１」から「２」へ進ませるための前記一の位ランナーの歯は補助ランナーの歯であり、前記補助ランナーの回転軸は、前記一の位ランナーに留められ、かつ前記十の位ランナーの歯と、この十の位ランナーと同軸でありかつこの十の位ランナーに留められたカムと択一的に係合することができ、前記カムは、一方で、前記補助ランナーを角度方向に不動化するための一部分と、他方で、カットアウト部とを備え、前記カットアウト部の位置は、前記補助ランナーが「３１」と「０１」の間の一ステップだけ前記十の位ランナーを駆動することができるように選択されており、前記一の位ランナーを駆動するように前記駆動ランナーと選択的に係合されている年ランナー自体と選択的に係合するように前記十の位ランナーは成形されており、前記インジケータランナーが十の位を「２」から「３」及び「３」から「０」へ進ませる時に前記年ランナーと前記十の位ランナーは係合され、前記一の位ランナーを駆動するための前記駆動ランナーは、前記日付が「３０」から「０１」に進む時のみ前記年ランナーと係合するように成形されている請求項１に記載の方法を実施するための日付機構。
【請求項３】
前記一の位ランナーと前記十の位ランナーは、同心であり、前記一の位及び十の位ランナーの各々がディスプレイディスクを担持し、前記二つのディスプレイディスクの表面は、同一平面上にある日付番号を担持している請求項２に記載の日付機構。
【請求項４】
前記ランナーの全ては、中央の回転軸を有する歯付き円形部材である請求項２に記載の日付機構。
【請求項５】
前記カムを有する前記補助ランナーの摩擦面は、前記補助ランナーの各歯に付随した回動ローラを備えている請求項２に記載の日付機構。
【請求項６】
前記補助ランナーは、前記一の位ランナー内に形成されたハウジング内に少なくとも部分的に収納されている請求項２に記載の日付機構。
【請求項７】
前記年ランナーと、一方で前記十の位ランナーと、他方で前記駆動ランナーとの間の選択的な係合は、異なるレベルに位置する異なる厚さの歯によって得られる請求項２に記載の日付機構。
【請求項８】
前記十の位の番号と前記一の位の番号が一つの窓を通して見える請求項２に記載の日付機構。
【発明の詳細な説明】
【０００１】
【発明の属する技術分野】
本発明は、３月１日から次の年の２月２８又は２９日までの全ての日付を連続的にかつ自動的に示すように、時計ムーブメントによって作動される日付インジケータを形成する方法に関し、また、この方法を実施する機構に関する。
【０００２】
【従来の技術】
時計用の日付機構は、ディスプレイに関する限り、二つのタイプに分類することができる。二つのタイプとは、最も長い月の３１日分の番号を連続的に担持する目盛りを有するタイプと、二つの別個のディスプレイランナー上の十の位の番号と一の位の番号を担持するタイプである。この第二のタイプのディスプレイは、日付の配置される周縁の長さの３１分の１に対応する角度によってディスプレイの高さが必然的に制限される、同じディスプレイランナー上に３１日分がある場合の第一のタイプのディスプレイよりも、番号を大きく表示することができるように一般に使用されている。
【０００３】
第二のタイプのディスプレイと関連して使用される異なるレベルの複雑さを有する種々のタイプの機構がある。二つのディスププレイランナーを有するタイプで生じる問題の一つは、月の終わりの日付を補正する問題である、
【０００４】
この問題を解決する試みで提案されている解決方法の中の一文献について説明する（例えば、特許文献１参照。）。この解決方法では、長さの補正を避けるために、第一の「１」が十の位ディスクの「３」に付随しかつ第二の「１」が十の位ディスクの「０」に付随するように、一の位ディスク上の月の終わりにおいて連続的に番号「１」を２度配置することを提案する解決方法に関する。その結果、「３０」と「１」の間の補正では、一つのさらなるステップだけ日付機構を駆動することしか必要でない。対照的に、一の位ディスクは、三つの連続した十個の番号とさらなる「１」を担持しなければならず、番号の最大寸法を著しく減らし、二つの別個のランナーを有するディスプレイの利点が著しく減ってしまうということを意味する。
【０００５】
【特許文献１】
スイス国特許第６８９６０１号
【０００６】
別の解決方法が他の文献において提案されている（例えば、特許文献２参照。）。この解決方法では、日付機構は、１日につき一ステップだけ駆動され、かつ３０個の歯と３１番目の歯に対応する空間とを有する歯車に留められる、３１個の歯を有する歯車を備えている。この歯車は、一の位の番号を担持する十歯ピニオンと係合し、３０個の歯を有する歯車の各回転について、自由な空間が、静止したままである一の位ピニオンに面し、各月の終わりにおいて連続して番号「１」が二日表示されうる。
【０００７】
【特許文献２】
スイス国特許第３１０５５９号
【０００８】
この日付機構の主な利点は、一の位ディスクと十の位ディスクの両方を並列させること、又は、これらディスクを重ねることができるということである。前者の場合では、ディスクの縁の間に形成される空間を隠すために二つの窓が必要とされ、後者の場合では、二つの日付番号が異なるレベルにあり、これは魅力的でなく、読むのに支障をきたす。
【０００９】
この不利な点は、さらに他の文献において、３０個の歯及び３１番目のハウジングの代りの空間を有する日付機構を、二つの同心ディスクを有するディスプレイ上に転置することにより克服されている（例えば、特許文献３参照。）。この日付機構の３１個の歯の駆動歯車は、非常に大きな表面積を依然として占める。さらに他の文献は、一の位及び十の位のための二つのディスプレイランナーを有し、かつカム及びレバーのシステムによって作動させられ、いかなる補正もなく、３０日の月と３１日の月が交互となりうる日付機構に関する（例えば、特許文献４参照。）。しかしながら、このような機構は、毎年二つの３１日の月が続く、すなわち、８月における１日と１月における１日が表示しそこなうことを意味するので、大きな不都合を生じる。ここで、この機構の通常のサイクルが６１日（一つの３０日の月と一つの３１日の月）であるならば、１月の終わりと８月の終わりに表示しそこなう「３１」を回復するために、３１ステップの補正が１年に２度必要とされる。この場合、前述の日付機構で３度（その中の２度はそれぞれ３１日である）だけ補正するよりも、１年につき１日（又は、２月の終わりにおいて２又は３日）の５回の補正を実施することが疑いなく好ましい。
【００１０】
【特許文献３】
スイス国特許第６８８６７１号
【００１１】
【特許文献４】
日本国特許出願第５１−３４７４８号
【００１２】
【発明が解決しようとする課題】
一の位の番号と十の位の番号のための別個のディスプレイ部材に付随した多くの他の機構が存在する。対照的に、これらの解決手段のいずれも、このようなディスプレイモードが、補正が年に一度しか必要とされないように、その年の日付を表示することを簡単に可能にするという潜在的な利益を示していない。
【００１３】
本発明の目的は、簡単かつ確実にその年の日付を表示することができる解決方法を提供することである。
【００１４】
【課題を解決するための手段】
そのため、本発明の主題は、第一に、請求項１において特許請求したように、３月１日から次の年の２月２８又は２９日までの全ての日を連続的にかつ自動的に示すように、時計ムーブメントによって作動させられる日付インジケータを形成する方法である。本発明の別の主題は、請求項２において特許請求したように、この方法を実施するための日付機構である。
【００１５】
この方法の本質的な利点は、一の位の番号と十の位の番号を二つの別個のディスプレイランナー上に配置することによって、３月１日から２月２８又は２９日までの全ての日を連続的に自動的に表示することができるようになり、それゆえ、いかなる補正なく、一日に付き一ステップだけ一の位及び十の位のディスプレイランナーを選択的に進めるということにある。
【００１６】
この方法の特定の特徴により、一年に付き５度の補正を必要とする従来の日付機構を、一つの年歯車を単に追加することによって、一度しか補正を必要としないその年の日付機構に変えることができる。この日付機構は、レバーも、日付ディスクを駆動するためのエネルギを貯蔵することが意図されているばね張力カムも備えていない。この日付機構は、３０日の月に例えば「３０」から次の月の「０１」へ進む場合、２以上のステップだけこのディスクを選択的に前進させなければならない時にしばしば必要とされる。
【００１７】
他の利点は以下の記載から明らかになる。この記載に添付した図面は、基本的な日付機構と、本発明の主題である方法を実施しうる日付機構の適用の一実施例を略図的かつ例示的に示している。
【００１８】
【発明の実施の形態】
図１に示す日付機構は、二つのディスク、すなわち、一の位を表示することが意図されている、十個又は数十個の番号を担持する一の位ディスク１と、十の位を表示することが意図されている、四個又は四の倍数個の番号を担持する十の位ディスク２とを備えている。十の位ディスク２上の番号「０」をなくしてブランクスペースで置き換えてもよい。二つのディスク１、２は、同軸であり、一の位の番号と十の位の番号を一つの窓５を通して表示することができる。
【００１９】
一の位ディスク１は、十個又は数十個の歯を有する一の位歯車３に留められている。十の位ディスク２は、四個又は四の倍数個の歯を有する十の位ピ二オン４（図２）に留められる。十の位ピ二オン４と一の位歯車３は同軸であり、円形カットアウト内に部分的に収納されたピニオン４は一の位歯車３の中心に形成されている。日付番号を担持する二つのディスク１、２の面は、図６から認識することができるように、同一平面上にある。
【００２０】
一の位歯車３は、時間インジケータ歯車列（図示せず）の時歯車に接続されており、時間インジケータ歯車列は、２４時間で１回転の速度でカレンダー歯車７を駆動する中間歯車を介して２４時間で２回転する。このカレンダー歯車７は、２４時間毎に一ステップだけ一の位歯車３を駆動する日付フィンガ８を担持する。
【００２１】
時計の取付板に留められたほぞ１０ａによって担持されている中間歯車１０は、十の位ピニオン４と係合する。この中間歯車１０は、一の位歯車３によって担持されるピン９の軌道内にあり、中間歯車１０は、一の位歯車３の回転毎に一ステップだけ駆動され、中間歯車１０自体が、一ステップだけ十の位ピニオン４を駆動する。この十の位ピニオン４の駆動は、一の位ディスク１の「９」から「０」への移動と一致する。
【００２２】
段階的に「３２」、「３３」等を通過させることによって、「３１」の後にかなり補正しなければならないのを避けるために、再び「０１」に到着するまで、一の位歯車３は、月の終わりピニオン１２を備えた補助ランナーを担持し、ピニオン１２の一つの歯は、一の位歯車３の中空歯１１の代りに、十の位ピニオン４に留められたカム１５によって位置決めされる。月の終わりピニオン１２の各歯は二重回動ローラ１４に付随している。これらローラ１４はカム１５の高さにあり、これらローラ１４はカム１５に沿って回転し、このカム１５と月の終わりピニオン１２の間の摩擦を最小に低減する。
【００２３】
カム１５は、十の位ディスク上の番号「３」から番号「０」への移動に対応する、十の位ピニオン４の二つの歯の間に位置するカットアウト部１５ａを有する。カム１５及びカットアウト部１５ａによって、カム１５の一部分がローラ１４の一部分と交差し、十の位の番号が変わる時、月の終わりピニオンは一の位歯車３に関して角度方向に不動である。「３１」から「０１」へ変わる間を除く十の位が変わる間に起きることは、カム１５内の凹所１５ａに対応する。それは、この場合には月の終わりピニオン１２が一ステップだけ回転することができ、一の位歯車３が不動のままであるということを意味する。それゆえ、十の位ディスクは「３」から「０」へ進み、その一方で、一の位ディスクは「１」のままであり、この「１」は日「３１」及び「０１」の一の位の番号に対応する。
【００２４】
二つの位置決めジャンパ１６、１７の一方は一の位歯車３と協働し、ジョンパ１６、１７の他方は十の位ピニオン４と協働する。図面から見ることができるように、比較的に厚い一の位歯車３のジャンパ１６は、ジャンパ１７よりも高いトルクを発生させることができる。これにより、十の位ディスクが「３１」と「０１」の間で「３」から「０」へ進む時、一の位歯車３を不動に保持することができる。図３は、一の位ディスク１及び十の位ディスク２が「３０」を表示する時の日付機構を示す。すなわち、一の位歯車３上の矢印の方向に回転する一の位歯車３に固定されたピン９は、中間歯車１０と十の位ピニオン４を各矢印の方向に一ステップだけ前進させ、図２の位置から図３の位置へ進む。
【００２５】
図４は、二つのディスク１、２が「３１」を表示する時の日付機構のランナーの位置を示す。この位置において、月の終わりピニオン１２のローラ１４ａが、カム１５の凹所１５ａに面するということを理解することができる。したがって、図４の位置から図５の位置へ進む時、日付フィンガ８は、月の終わりピニオン１２を一ステップだけ回転させることができる。このピニオン１２はカム１５によって不動化されないので、それゆえ、一の位歯車３は不動のままである。この月の終わりピニオン１２とカム１５により、日付を直接的に「３１」から「０１」へ進めることができる。
【００２６】
理解することができるように、これまで、一の位と十の位が二つの別個のディスクによって表示されている、日付機構が日付の番号を拡大することのできる本質的な目的を有していた一方、本発明は、このタイプの補正低減機構から別の利益を得ることができるということを示している。実に、この表示機構が、一の位ディスクを移動させることなく十の位ディスクのみを移動させて「３１」から「０１」へ進ませることができるということを前の記載から理解することができる。
【００２７】
図７〜１１は、これまでに記載した日付機構の特徴が、新規な概念に基づいてその年の日付を表示する時にいかに有利であるかを示し、それにより、２４時間で二つ以上のステップで二つのディスクの一方又は両方を同時に決して移動させることなく、３月１日から次の年の２月２８又は２９日まで完全に自動に日付表示を変える。以前においてすでに見られたように、前述の基本機構は、十の位ディスクのみを一ステップだけ変えつつ一の位ディスク１を不動に保持することによって、「３１」から「０１」へ移動させることができる。次に必要とされることは、二つのディスクを同時に移動させて「３０」から「０１」へ進める手段を見出すことだけであり、この賢い日付変更方法を実施して非常に簡単にその年の日付を表示し、前記した全ての利点を有する。
【００２８】
この結果は、毎日、時計ムーブメントを一の位歯車３と接続し、この一の位歯車３に留められたペグ９と、中間歯車１０とを介して、一の位歯車３の十ステップ毎に、時計ムーブメントを十の位ピニオン４と接続するドライブラインを形成する段階に加えて、３０日の月の終わりにおいて「３０」から「０１」へ進むように、時計ムーブメントを十の位ピニオン４に直接的に接続し、かつ一の位歯車３と同時に十の位ピニオンを一ステップだけ駆動するようにプログラムされた年ドライブラインを形成する段階を備えた方法によって得られる。
【００２９】
この日付機構は、さらなる年歯車１８を備えていて年ドライブラインを形成することができるということと、以下に説明するように、日付フィンガ８が、年歯車を選択的に駆動することが意図されているスタッド８ａと当接するということを除いて、以前の日付機構と同一である。
【００３０】
年歯車１８は、２４個、すなわち、一月当り２つの歯を有する。これらの歯の中では、この年歯車１８の軸線と同心である円弧部１８ａの外側で薄くなっているものもあるが、薄くなっていないものもある。それゆえ、年歯車１８の薄い歯の厚さは、これらの歯が日付フィンガのスタッド８ａの下を通過することができるように低減されている。番号「０」に対応している十の位ピニオン４の二つの歯４ａの厚さは、年歯車１８の歯の全厚を越えて広がっており、これらの年歯車１８の歯は、歯及び十の位ピニオン４と係合する位置にある。逆に、この十の位ピニオンの他の歯の厚さは、歯が年歯車１８の歯と接触しないように低減されている。
【００３１】
年歯車１８の薄い歯は、５つであり、３１日よりも少ない５つの月に対応している。その年の日付に関する図面において、年歯車の秒歯の各々は、一つの歯とその歯に隣接した歯が対応する、１月の１から１２月の１２、年の月に応じて番号が付けられる。それゆえ、この番号付けで理解することができるように、年歯車１８の薄くない歯は、２月、４月、６月、９月、１１月に対応する。
【００３２】
その年の日付の進み方を理解するために、この日付機構が１０月２９日と１１月１日の間で作用する、すなわち、３１日の月の終わりから次の月の１日に進む時の方法について図７〜１０を参照して最初に以下に記載し、次に、この日付機構が１１月３０日と１２月１日の間で作用する、すなわち、３０日の月の終わりから次の月の１日へ進む時の方法について図１０及び１１を参照して説明する。
【００３３】
１０月２９日と１０月３０日の間の日付機構のランナーの位置を見ると（図７及び８）、日付フィンガ８が一の位歯車３を一ステップだけ駆動し、一の位歯車３がピン９を用いて十の位ピニオン４を駆動するということが理解される。年歯車１８と係合する十の位ピニオン４の歯が、年歯車１８の全ての歯と係合するように成形された歯「０」であるならば、年歯車１８が一ステップで駆動される。
【００３４】
１０月３０日から１０月３１日へ進むために（図８及び９）、日付フィンガ８は、一ステップだけ一の位歯車３を駆動する。月「１０」に対応する歯は、日付フィンガ８のスタッド８ａの下を通過する、薄い歯であるので、年歯車１８は、月「１０」に対応する歯を移動させない。日付フィンガ８と係合するようになる一の位歯車３上の隣りの歯車は、実際には、月の終わりピニオン１２の歯であるということも理解することができる。ここで、図９に示す１０月３１日に対応する位置において、日付フィンガ８が月の終わりピニオン１２の歯を駆動し、通常カム１５に当接するローラ１４がこのカム１５内の凹所１５ａに面している場合、このピニオン１２がカム１５によって回転させられることが防がれないということを理解することができる。
【００３５】
それゆえ、月の終わりピニオン１２は、一の位歯車３を駆動することなく、ピニオン１２自体上で回転することができ、対照的に、十の位ピニオン４を一ステップだけ駆動することにより、年歯車１８の歯に係合されたこのピニオン４の歯「０」は、一ステップだけこの年歯車１８を再び駆動する。したがって、以前に「３１」と表示した日付は、十の位の番号のみを変え、一の位の番号を不動のままにし、それゆえ、次の日は「０１」である。
【００３６】
次に、「３０」から「０１」へ直接的に進む方法を示すために図１１及び１２を説明する。スタッド８ａの軌道内にある年歯車の歯は、１１月の月の終わりに対応する歯「１１」である。スタッド８ａが年歯車の５つの歯の中の一つと係合することができる。
【００３７】
日付フィンガ８が図１１に示す位置から回転して図１２に示す位置へ進む時、日付フィンガ８が一ステップだけ一の位歯車３を駆動し、その一方で、同時に、スタッド８ａは、一ステップだけ年歯車１８を駆動する。年歯車１８の歯内に係合された十の位ピニオン４の歯は、年歯車１８の全ての歯と係合するように成形された歯「０」に対応している場合、この十の位ピニオン４は年歯車１８によって一ステップだけ駆動させられる。したがって、「０」であった一の位の番号は「１」に進み、「３」であった十の位の番号は「０」に進む。
【００３８】
それゆえ、前述の日付機構は、３月１日から次の年の２月２８又は２９日までのいかなる補正もなく、自動的に作動しうる。
【図面の簡単な説明】
【図１】一の位ディスクと十の位ディスクの一部が破断された基本機構を上から見た図である。
【図２】図１の下から見た図であり、基本機構が「２９」を示す時の基本機構を示す。
【図３】「３０」への進行の終わりにおける図２と同様な図である。
【図４】「３１」への進行の終わりにおける図２と同様な図である。
【図５】「０１」への進行の終わりにおける図２と同様な図である。
【図６】図１の線ＶＩ−ＶＩ断面図である。
【図７】本発明の方法を実施するために図１から６の基本日付機構の適用の図であり、３１日ある月における「２９」から「０１」に及ぶ日付の連続的な進行の間において本発明の方法を実施するための機構のランナーの位置を示す。
【図８】本発明の方法を実施するために図１から６の基本日付機構の適用の図であり、３１日ある月における「２９」から「０１」に及ぶ日付の連続的な進行の間において本発明の方法を実施するための機構のランナーの位置を示す。
【図９】本発明の方法を実施するために図１から６の基本日付機構の適用の図であり、３１日ある月における「２９」から「０１」に及ぶ日付の連続的な進行の間において本発明の方法を実施するための機構のランナーの位置を示す。
【図１０】本発明の方法を実施するために図１から６の基本日付機構の適用の図であり、３１日ある月における「２９」から「０１」に及ぶ日付の連続的な進行の間において本発明の方法を実施するための機構のランナーの位置を示す。
【図１１】日付が「３０」から「０１」へ進む時の基本日付機構のランナーの位置を示す。
【図１２】日付が「３０」から「０１」へ進む時の基本日付機構のランナーの位置を示す。
【符号の説明】
１…一の位インジケータランナー
２…十の位インジケータランナー
【図１】
0004242635.tif 000002
【図２】
0004242635.tif 000003
【図３】
0004242635.tif 000004
【図４】
0004242635.tif 000005
【図５】
0004242635.tif 000006
【図６】
0004242635.tif 000007
【図７】
0004242635.tif 000008
【図８】
0004242635.tif 000009
【図９】
0004242635.tif 000010
【図１０】
0004242635.tif 000011
【図１１】
0004242635.tif 000012
【図１２】
0004242635.tif 000013